(57)【特許請求の範囲】
【請求項１】
複数の光ビームを射出する光源装置であって、
２次元配列された複数の発光部を有する光源と；
前記光源が実装された基板と、
前記複数の発光部からそれぞれ射出された複数の光ビームをカップリングするカップリング素子と；
前記カップリング素子を支持する支持部材と；
前記基板を前記支持部材に対して付勢することで、前記光源を前記支持部材に対して位置決めする付勢部材と；
前記支持部材に対して前記カップリング素子の光軸方向に移動可能に取り付けられ、前記基板の相対する２つの外縁部に個別に結合する２つの保持部材と；を備える光源装置。
【請求項２】
前記基板は、外部からの配線が接続されるコネクタが実装され、
前記保持部材は、前記基板の前記コネクタが実装された部分の近傍を保持することを特徴とする請求項１に記載の光源装置。
【請求項３】
前記保持部材は、前記コネクタに前記配線が接続又は着脱される方向に平行な線上に配置されていることを特徴とする請求項２に記載の光源装置。
【請求項４】
前記光源は、複数の発光部を有する発光素子と、前記発光素子を収容するパッケージとを備え、
前記付勢部材は、前記基板を前記支持部材に対して付勢することで、前記パッケージを前記支持部材に当接させて、前記光源を前記支持部材に対して位置決めすることを特徴とする請求項１〜３のいずれか一項に記載の光源装置。
【請求項５】
前記付勢部材は、前記基板に係止するアンカー部を有していることを特徴とする請求項１〜４のいずれか一項に記載の光源装置。
【請求項６】
前記支持部材に支持され、前記複数の発光部から射出された光ビームそれぞれを、分岐する分岐素子と；
前記分岐素子に分岐された光ビームの一方を受光する受光素子と；を更に備える請求項１〜５のいずれか一項に記載の光源装置。
【請求項７】
前記保持部材は、前記外縁部に結合する結合部を有していることを特徴とする請求項１〜６のいずれか一項に記載の光源装置。
【請求項８】
前記保持部材は、前記カップリング素子の光軸に直交する方向に、前記基板を係止することを特徴とする請求項７に記載の光源装置。
【請求項９】
複数の光ビームを用いて被走査面を走査する光走査装置であって、
請求項１〜８のいずれか一項に記載の光源装置と；
前記光源装置から射出される複数の光ビームをそれぞれ偏向する偏向器と；
前記偏向された前記複数の光ビームを被走査面上にそれぞれ結像する走査光学系と；を備える光走査装置。
【請求項１０】
前記光源装置は、前記カップリング素子の光軸を中心に回動可能に支持されていることを特徴とする請求項９に記載の光走査装置。
【請求項１１】
画像に関する情報から得られる潜像に基づいて形成されたトナー像を、記録媒体に定着させることにより、画像を形成する画像形成装置であって、
請求項９又は１０に記載の光走査装置と；
前記光走査装置により潜像が形成される感光体と；
前記感光体の被走査面に形成された潜像を顕像化する現像手段と；
前記現像手段により顕像化されたトナー像を前記記録媒体に定着させる転写手段と；を備える画像形成装置。
【請求項１２】
多色画像に関する情報から得られる各色ごとの潜像に基づいて形成されたトナー像を、記録媒体に重ね合わせて定着させることにより、多色画像を形成する画像形成装置であって、
請求項９又は１０に記載の光走査装置と；
前記光走査装置により各色に応じた潜像がそれぞれ形成される複数の感光体と；
前記複数の感光体の被走査面それぞれに形成された潜像を顕像化する現像手段と；
前記現像手段により顕像化された各色ごとのトナー像を前記記録媒体に重ね合わせて定着させる転写手段と；を備える画像形成装置。
【発明の詳細な説明】
【技術分野】
【０００１】
本発明は、光源装置、光走査装置及び画像形成装置に係り、更に詳しくは、光ビームを射出する光源装置、複数の光ビームを用いて被走査面を走査する光走査装置、及び該光走査装置を備える画像形成装置に関する。
【背景技術】
【０００２】
カールソンプロセスを用いて画像を形成する画像形成装置としては、例えば、回転する感光ドラムの表面を、光ビームで走査することにより、感光ドラム表面に潜像を形成し、この潜像を可視化して得られたトナー像を、記録媒体としての用紙上に定着させることにより、画像を形成する画像形成装置が知られている。近年、この種の画像形成装置は、オンデマンドプリンティングシステムとして簡易印刷によく用いられるようになり、画像の高密度化及び画像出力の高速化への要求が一層高まっている。
【０００３】
そこで、最近では、複数の発光部がモノリシックに２次元配置された、例えば面発光型レーザアレイ（VCSEL: vertical cavity surface emitting laser）などの光源を備え、この光源から射出される複数の光ビームで、被走査面上の複数の走査ラインを同時に走査することが可能な画像形成装置が提案されている（例えば、特許文献１参照）。
【０００４】
この種の画像形成装置に用いられる面発光型のレーザアレイでは、複数の発光部が形成されたチップがセラミックパッケージ等に収容された構造となっている。このため、面発光型のレーザアレイを回路基板に実装する場合には、半田付けに伴う装着高さのばらつきにより、回路基板の実装面に対して、セラミックパッケージ表面が傾斜した状態となってしまい、その結果、基板表面と発光部との位置関係が発光部ごとに異なった状態になることがある。
【０００５】
光源装置では、基板表面を基準として、例えばカップリングレンズなどの光学素子の配置を決める場合があるが、上述のように、基板表面と発光部との位置関係が発光部ごとに異なっていると、結果的に、光学素子と発光部との位置関係が発光部ごとに異なってしまうという問題がある。
【０００６】
この対策として、特許文献２には、回路基板を弾性的にたわませることにより、光源のパッケージを支持部材の基準面に圧接させて、パッケージの表面を光学素子に対して位置決めする方法が開示されている。
【０００７】
【特許文献１】特開２００３−２１１７２８号公報
【特許文献２】特開２００４−６５２９号公報
【発明の開示】
【発明が解決しようとする課題】
【０００８】
しかしながら、特許文献２に記載の方法では、回路基板を強制的にたわませているため、回路基板に実装される電子部品の半田が剥がれ、例えば装置の経年劣化が加速されるといった問題が考えられる。
【０００９】
本発明は、かかる事情の下になされたもので、その第１の目的は、光源の位置決めを精度よく行うとともに、光源と光学素子との位置関係を一定に維持することが可能な光源装置を提供することにある。
【００１０】
また、本発明の第２の目的は、安定して精度よく被走査面を走査することが可能な光走査装置を提供することにある。
【００１１】
また、本発明の第３の目的は、安定して精度よく画像を形成することが可能な画像形成装置を提供することにある。
【課題を解決するための手段】
【００１２】
本発明は、第１の観点からすると、複数の光ビームを射出する光源装置であって、２次元配列された複数の発光部を有する光源と；前記光源が実装された基板と、前記複数の発光部からそれぞれ射出された複数の光ビームをカップリングするカップリング素子と；前記カップリング素子を支持する支持部材と；前記基板を前記支持部材に対して付勢することで、前記光源を前記支持部材に対して位置決めする付勢部材と；前記支持部材に対して前記カップリング素子の光軸方向に移動可能に取り付けられ、前記基板の相対する２つの外縁部に個別に結合する２つの保持部材と；を備える光源装置である。
【００１３】
これによれば、支持部材に支持されるカップリング素子と、光源との位置関係を一定に維持することが可能となる。
【００１４】
本発明は第２の観点からすると、複数の光ビームを用いて被走査面を走査する光走査装置であって、本発明の光源装置と；前記光源装置から射出される複数の光ビームをそれぞれ偏向する偏向器と；前記偏向された前記複数の光ビームを被走査面上にそれぞれ結像する走査光学系と；を備える光走査装置である。
【００１５】
これによれば、光源装置では、光源とカップリング素子との位置関係が所望の関係に維持される。したがって、被走査面上での光ビームの結像特性が経時的に変化することがなく、安定的に精度よく被走査面を走査することが可能となる。
【００１６】
本発明は第３の観点からすると、画像に関する情報から得られる潜像に基づいて形成されたトナー像を、記録媒体に定着させることにより、画像を形成する画像形成装置であって、本発明の光走査装置と；前記光走査装置により潜像が形成される感光体と；前記感光体の被走査面に形成された潜像を顕像化する現像手段と；前記現像手段により顕像化されたトナー像を前記記録媒体に定着させる転写手段と；を備える画像形成装置である。
【００１７】
これによれば、本発明の光走査装置によって形成された潜像に基づいて、最終的な画像が形成される。したがって、記録媒体上に安定して精度よく画像を形成することが可能となる。
【００１８】
本発明は第４の観点からすると、多色画像に関する情報から得られる各色ごとの潜像に基づいて形成されたトナー像を、記録媒体に重ね合わせて定着させることにより、多色画像を形成する画像形成装置であって、本発明の光走査装置と；前記光走査装置により各色に応じた潜像がそれぞれ形成される複数の感光体と；前記複数の感光体の被走査面それぞれに形成された潜像を顕像化する現像手段と；前記現像手段により顕像化された各色ごとのトナー像を前記記録媒体に重ね合わせて定着させる転写手段と；を備える画像形成装置である。
【００１９】
これによれば、本発明の光走査装置によって形成された潜像に基づいて、最終的な多色画像が形成される。したがって、記録媒体上に安定して精度よく画像を形成することが可能となる。
【発明を実施するための最良の形態】
【００２０】
《第１の実施形態》
以下、本発明の第１の実施形態を図１〜図９に基づいて説明する。図１は、本実施形態に係る画像形成装置５００の概略構成を示す図である。
【００２１】
画像形成装置５００は、例えば、黒、イエロー、マゼンダ、シアンのトナー像を普通紙（用紙）上に重ね合わせて転写することにより、多色画像を印刷するタンデム方式のカラープリンタである。この画像形成装置５００は、図１に示されるように、光走査装置１００、４本の感光ドラム３０Ａ、３０Ｂ、３０Ｃ、３０Ｄ、転写ベルト４０、給紙トレイ６０、給紙コロ５４、第１レジストローラ５６、第２レジストローラ５２、定着ローラ５０、排紙ローラ５８、上記各部を統括的に制御する不図示の制御装置、及び上記構成部品を収容するほぼ直方体状のハウジング５０１などを備えている。
【００２２】
ハウジング５０１には、上面に印刷が終了した用紙が排出される排紙トレイ５０１ａが形成され、その排紙トレイ５０１ａの下方に光走査装置１００が配置されている。
【００２３】
光走査装置１００は、感光ドラム３０Ａに対しては、上位装置（パソコン等）から供給された画像情報に基づいて変調された黒色画像成分の光ビームを走査し、感光ドラム３０Ｂに対してはシアン画像成分の光ビームを走査し、感光ドラム３０Ｃに対してはマゼンダ画像成分の光ビームを走査し、感光ドラム３０Ｄに対してはイエロー画像成分の光ビームを走査する。なお、光走査装置１００の構成については後述する。
【００２４】
４本の感光ドラム３０Ａ、３０Ｂ、３０Ｃ、３０Ｄは、その表面に、光ビームが照射されると、その部分が導電性となる性質をもつ感光層が形成された円柱状の部材であり、光走査装置１００の下方にＸ軸方向に沿って等間隔に配置されている。
【００２５】
感光ドラム３０Ａは、ハウジング５０１内部の−Ｘ側端部にＹ軸方向を長手方向として配置され、不図示の回転機構により図１における時計回り（図１の矢印に示される方向）に回転されるようになっている。そして、その周囲には、図１における１２時（上側）の位置に帯電チャージャ３２Ａが配置され、２時の位置にトナーカートリッジ３３Ａが配置され、１０時の位置にクリーニングケース３１Ａが配置されている。
【００２６】
帯電チャージャ３２Ａは、長手方向をＹ軸方向として、感光ドラム３０Ａの表面に対し所定のクリアランスを介して配置され、感光ドラム３０Ａの表面を所定の電圧で帯電させる。
【００２７】
トナーカートリッジ３３Ａは、黒色画像成分のトナーが充填されたカートリッジ本体と、感光ドラム３０Ａとは逆極性の電圧によって帯電された現像ローラなどを備え、カートリッジ本体に充填されたトナーを現像ローラを介して感光ドラム３０Ａの表面に供給する。
【００２８】
クリーニングケース３１Ａは、Ｙ軸方向を長手方向とする長方形状のクリーニングブレードを備え、該クリーニングブレードの一端が感光ドラム３０Ａの表面に接するように配置されている。感光ドラム３０Ａの表面に吸着されたトナーは、感光ドラム３０Ａの回転に伴いクリーニングブレードにより剥離され、クリーニングケース３１Ａの内部に回収される。
【００２９】
感光ドラム３０Ｂ，３０Ｃ，３０Ｄは、感光ドラム３０Ａと同等の構成を有し、感光ドラム３０Ａの＋Ｘ側に所定間隔隔てて順番に配置されている。そして、その周囲には、前述の感光ドラム３０Ａと同様の位置関係で、帯電チャージャ３２Ｂ，３２Ｃ，３２Ｄ、トナーカートリッジ３３Ｂ，３３Ｃ，３３Ｄ及びクリーニングケース３１Ｂ，３１Ｃ，３１Ｄがそれぞれ配置されている。
【００３０】
帯電チャージャ３２Ｂ〜３２Ｄは、前述した帯電チャージャ３２Ａと同様に構成され、感光ドラム３０Ｂ〜３０Ｄの表面を所定の電圧で帯電させる。
【００３１】
トナーカートリッジ３３Ｂ〜３３Ｄは、それぞれシアン、マゼンダ、イエロー画像成分のトナーが充填されたカートリッジ本体と、感光ドラム３０Ｂ〜３０Ｄとは逆極性の電圧によって帯電された現像ローラなどを備え、カートリッジ本体に充填されたトナーを現像ローラを介して感光ドラム３０Ｂ〜３０Ｄの表面にそれぞれ供給する。
【００３２】
クリーニングケース３１Ｂ〜３１Ｄは、クリーニングケース３１Ａと同様に構成され、同様に機能する。
【００３３】
以下、感光ドラム３０Ａ、帯電チャージャ３２Ａ、トナーカートリッジ３３Ａ及びクリーニングケース３１Ａを合わせて第１ステーションと呼び、感光ドラム３０Ｂ、帯電チャージャ３２Ｂ、トナーカートリッジ３３Ｂ及びクリーニングケース３１Ｂを合わせて第２ステーションと呼び、感光ドラム３０Ｃ、帯電チャージャ３２Ｃ、トナーカートリッジ３３Ｃ及びクリーニングケース３１Ｃを合わせて第３ステーションと呼び、感光ドラム３０Ｄ、帯電チャージャ３２Ｄ、トナーカートリッジ３３Ｄ及びクリーニングケース３１Ｄを合わせて第４ステーションと呼ぶものとする。
【００３４】
転写ベルト４０は、無端環状の部材で、感光ドラム３０Ａ，３０Ｄの下方にそれぞれ配置された従動ローラ４０ａ，４０ｃと、これらの従動ローラ４０ａ，４０ｃより少し低い位置に配置された駆動ローラ４０ｂに、上端面が感光ドラム３０Ａ、３０Ｂ、３０Ｃ、３０Ｄそれぞれの下端面に接するように巻回されている。そして、駆動ローラ４０ｂが図１における反時計回りに回転することにより、反時計回り（図１の矢印に示される方向）に回転される。また、転写ベルト４０の＋Ｘ側端部近傍には、上述した帯電チャージャ３２Ａ、３２Ｂ、３２Ｃ、３２Ｄとは逆極性の電圧が印加された転写チャージャ４８が配置されている。
【００３５】
給紙トレイ６０は、転写ベルト４０の下方に配置されている。この給紙トレイ６０は略直方体状のトレイであり、内部に印刷対象としての複数枚の用紙６１が積み重ねられて収納されている。そして、給紙トレイ６０の上面の＋Ｘ側端部近傍には矩形状の給紙口が形成されている。
【００３６】
給紙コロ５４は、給紙トレイ６０から用紙６１を一枚ずつ取り出し、一対の回転ローラから構成される第１レジストローラ５６を介して、転写ベルト４０と転写チャージャ４８によって形成される隙間に導出する。
【００３７】
定着ローラ５０は、一対の回転ローラから構成され、用紙６１を過熱するとともに加圧し、第２レジストローラ５２を介して、排紙ローラ５８へ導出する。
【００３８】
排紙ローラ５８は、一対の回転ローラから構成され、導出された用紙６１を排紙トレイ５０１ａに順次スタックする。
【００３９】
次に、光走査装置１００の構成について説明する。図２は光走査装置１００を示す斜視図であり、図３は光走査装置１００を示す側面図である。図２及び図３を総合して見るとわかるように、光走査装置１００は、ポリゴンミラー１０４、ポリゴンミラー１０４の−Ｘ方向に順次配置されたｆθレンズ１０５、反射ミラー１０６Ｂ及び反射ミラー１０６Ａ、ｆθレンズ１０５の下方に配置された反射ミラー１０８Ｂ、この反射ミラー１０８Ｂの−Ｘ方向に順次配置されたトロイダルレンズ１０７Ｂ、反射ミラー１０８Ａ、トロイダルレンズ１０７Ａ、ならびに、ポリゴンミラー１０４の＋Ｘ方向に順次配置されたｆθレンズ３０５、反射ミラー３０６Ｃ及び反射ミラー３０６Ｄ、ｆθレンズ３０５の下方に配置された反射ミラー３０８Ｃ、この反射ミラー３０８Ｃの＋Ｘ方向に順次配置されたトロイダルレンズ３０７Ｃ、反射ミラー３０８Ｄ、トロイダルレンズ３０７Ｄを備える走査光学系と、感光ドラム３０Ａ，３０Ｂを走査する光ビームをポリゴンミラー１０４へ入射させる入射光学系２００Ａと、感光ドラム３０Ｃ，３０Ｄを走査する光ビームをポリゴンミラー１０４へ入射させる入射光学系２００Ｂの２つの入射光学系とを備えている。
【００４０】
前記入射光学系２００Ａ，２００Ｂは、Ｘ軸に対して１２０度又は６０度を成す方向から、ポリゴンミラー１０４の偏向面に光ビームを入射させる光学系であり、図２の入射光学系２００Ｂに代表的に示されるように、光源装置７０、この光源装置７０から射出される光ビームの経路に沿って順に配置された、アパーチャ部材２０１、光束分割プリズム２０２、一組の液晶素子２０３Ａ，２０３Ｂ、一組のシリンダレンズ２０４Ａ，２０４Ｂを備えている。ここで、説明の便宜上、Ｚ軸を中心にＸＹ座標を角度３０度回転することにより定まるｘｙｚ座標系を定義し、以下、適宜この座標系を用いた説明を行う。
【００４１】
図４は、光源装置７０を示す斜視図である。図４に示されるように、光源装置７０は、基板７６と、第１ホルダ７４と、カップリングレンズ１１を保持する第２ホルダ７２と、基板７６と第１ホルダ７４との位置関係を維持する保持部材７７などを有している。
【００４２】
図５及び図６は、光源装置７０の展開斜視図である。図５及び図６を総合して見るとわかるように、前記基板７６は、長手方向をｘ軸方向とする基板であり、例えば、−ｙ側の面に光源１０と受光素子１８とが実装され、＋ｙ側の面には前記光源１０を駆動する駆動回路、及び前記受光素子１８から出力される信号をモニタするモニタ回路などが形成されている。また、基板７６には、光源１０を囲むように、３つの丸孔７６ａと３つのスリット７６ｂが形成されている。
【００４３】
図７（Ａ）は、光源１０を示す斜視図である。図７（Ａ）に示されるように、光源１０は、正方形板状のパッケージ１０ｂと、前記パッケージ１０ｂに収容される発光素子１０ａとを有する面発光型のレーザアレイである。
【００４４】
前記パッケージ１０ｂは、例えばセラミックを素材とし、ｘｙ断面及びｚｙ断面がＵ字状のケースの−ｙ側の面に、該ケースと同等の大きさのガラス板が貼り付けられることにより形成されている。そして、その内部には不活性ガスが充填されている。
【００４５】
前記発光素子１０ａは、複数のＶＣＳＥＬが２次元配置された発光面を有する素子である。図７（Ｂ）に示されるように、発光素子１０ａの発光面（−ｙ側の面）には、発散光を−ｙ方向へ射出する３２個のＶＣＳＥＬが、ｘ軸と角度θ１をなす直線Ｌ１と平行な方向を行方向とし、ｚ軸と平行な方向を列方向とする４行８列のマトリクス状に配置されている。本実施形態では、一例としてＶＣＳＥＬの副走査方向の間隔Ｄｚは１８．４μｍで、主走査方向の間隔Ｄｘは３０μｍとなっており、各ＶＣＳＥＬのｚ軸方向（副走査方向）に関し隣り合う発光源の間隔ｄｚは２．３μｍ（＝Ｄｚ／８）となっている。そして、発光素子１０ａは、発光面がパッケージ１０ｂの−ｙ側の面に平行となった状態で、前記パッケージ１０ｂの内部に収容されている。
【００４６】
前記受光素子１８は、図５及び図６を総合して見るとわかるように、光源１０の＋ｘ側に配置され、入射する光ビームの強度に応じた信号（光電変換信号）を出力する。
【００４７】
前記第１ホルダ７４は、−ｙ側が開放された箱状の部材であり、内部には導光光学系２０が収容されるとともに、＋ｙ側の面には、基板７６に実装された光源１０及び受光素子１８が嵌合する矩形状の凹部７４ｂ，７４ｃと、凹部７４ｂを囲むように、基板７６の３つの丸孔７６ａにそれぞれ挿入される筒状部７４ａが形成されている。また、凹部７４ｂ，７４ｃの底壁面には、第１ホルダ７４の内部に連通する円形開口が形成されている。
【００４８】
上述した基板７６と第１ホルダ７４とは、図６を参酌するとわかるように、基板７６に実装された光源１０と受光素子１８とが、第１ホルダ７４に形成された凹部７４ｂ，７４ｃに嵌合し、基板７６に形成された３つの丸孔７６ａに、第１ホルダ７４に形成された３つの筒状部７４ａが挿入した状態で組み合わされ、第１ホルダ７４の筒状部７４ａに、略三角形状の付勢部材７８が取り付けられることで、相対位置関係が規定されている。
【００４９】
前記付勢部材７８は、例えば弾性を有する板状の部材を板金加工することによって形成され、基板７６に形成された３つのスリット７６ｂそれぞれに挿入可能な３つのアンカー部７８ｂと、−ｙ方向に弾性力を作用させる板バネ部７８ｃとが設けられている。この付勢部材７８は、アンカー部７８ｂが基板７６のスリット７６ｂにそれぞれ挿入された状態で、螺子７９が、付勢部材７８の各コーナー部に形成された丸孔７８ａを介して、第１ホルダ７４の筒状部７４ａに螺合されることで、第１ホルダ７４に固定されている。これにより、基板７６は、図８の断面図に示されるように、付勢部材７８の板バネ部７８ｃによって第１ホルダ７４に近接する方向に付勢され、光源１０及び受光素子１８の−ｙ側の面は、第１ホルダ７４に形成された凹部７４ｂ，７４ｃの底壁面にそれぞれ圧接される。
【００５０】
前記保持部材７７は、図４及び図５を総合して見るとわかるように、第１ホルダ７４の＋ｘ側の面に固定される板状の固定部と、固定部の＋ｙ側に形成されたＵ字状の把持部の２部分を有する部材である。この保持部材７７は、付勢部材７８によって、基板７６と第１ホルダ７４との相対位置関係が規定された後に、把持部が基板７６を把持した状態で、固定部が第１ホルダ７４に固定されることで、基板７６と第１ホルダ７４との相対位置関係を一定に維持する。
【００５１】
前記第２ホルダ７２は、中央に円形開口７２ｂが形成された板状の本体部と、本体部の−ｙ側の面に円形開口７２ｂを囲むように形成された環状凸部７２ａと、環状凸部７２ａの下方から−ｙ方向に延設されたレンズ支持部７２ｃの３部分を有している。そして、前記レンズ支持部７２ｃの上面には、断面Ｖ字状の溝がｙ軸に沿って形成され、前記カップリングレンズ１１は、この溝によってｘ軸方向及びｚ軸方向の位置が規定された状態で保持されている。
【００５２】
前記カップリングレンズ１１は、屈折率が１．５程度のレンズであり、光源１０から射出された光ビームをカップリングする。
【００５３】
上述のように構成された、第２ホルダ７２は、＋ｙ側の面が第１ホルダ７４の−ｙ側端に、例えば螺子等によって固定される。
【００５４】
前記導光光学系２０は、図８に示されるように、第１ホルダ７４に収容された分岐光学素子２１、集光レンズ２２、及び反射ミラー２３を含んで構成されている。
【００５５】
前記分岐光学素子２１は、中央に矩形状の開口が形成された板状の部材であり、光源１０側の面には光ビームを反射する反射面が形成されている。この分岐光学素子２１は、ｙ軸に対して４５度傾いた状態で保持されており、＋ｙ側から入射した光ビームは、一部が開口を通過し、残りが＋ｘ方向へ反射される。
【００５６】
前記集光レンズ２２は、正のパワーを有するレンズであり、分岐光学素子２１によって、＋ｘ方向へ反射された光ビームを、反射ミラー２３を介して受光素子１８の受光面へ集光する。
【００５７】
上述のように構成された光源装置７０は、一例として、図９に示されるように第２ホルダ７２の環状凸部７２ａが、光学ハウジングなどの支持部材１０１に形成された開口に嵌合されることで、カップリングレンズ１１の光軸回りに回動可能に支持されている。これにより、アパーチャ部材２０１以降の光学素子に対して、光源装置７０を回動することで、感光ドラム上に集光される光ビームの副走査方向のピッチが所定のピッチとなるように調整することが可能となっている。また、上述のように取り付けられた光源装置７０には、図８に示されるように、基板７６の＋ｙ側の面の＋ｘ側端部近傍に設けられたコネクタ８０を介して、外部電源からの電力が供給されるようになっている。
【００５８】
図２に戻り、前記アパーチャ部材２０１は、一例としてｘ軸方向（主走査方向）を長手方向とする矩形状の開口を有し、該開口中心が、光源装置７０に含まれるカップリングレンズ１１（例えば図４参照）の焦点位置又はその近傍に位置するように配置されている。
【００５９】
前記光束分割プリズム２０２は、分岐光学素子２１の開口２１ａを通過した光ビームを、上下方向（副走査方向）に所定距離隔てた２本の光ビームに分割する。
【００６０】
前記液晶素子２０３Ａ，２０３Ｂは、光束分割プリズム２０２に２分割された光ビームそれぞれに対応するように上下に隣接して配置され、制御装置（不図示）からの電圧信号に応じて光ビームを副走査方向へ偏向する。
【００６１】
前記シリンダレンズ２０４Ａ，２０４Ｂは、光束分割プリズム２０２に２分割された光ビームそれぞれに対応して上下に隣接して配置され、入射した光ビームそれぞれをポリゴンミラー１０４へ集光する。なお、このシリンダレンズ２０４Ａ，２０４Ｂは少なくとも副走査方向に正の曲率を有し、後述するトロイダルレンズ１０７Ａ〜１０７Ｄとによって、ポリゴンミラー１０４での偏向点と感光ドラム３０Ａ〜３０Ｄの表面上とを副走査方向に共役関係とする面倒れ補正光学系をなしている。
【００６２】
前記ポリゴンミラー１０４は、側面に光ビームの偏向面が形成された１組の正４角柱状部材からなり、それぞれの部材は相互に４５度位相がずれた状態で上下方向に隣接して配置されている。そして、不図示の回転機構により、図２に示される矢印の方向に一定の角速度で回転されている。これにより、入射光学系２００Ａ，又は入射光学系２００Ｂの光束分割プリズム２０２で２つに分割され、ポリゴンミラー１０４の偏向面にそれぞれ集光された２本の光ビームは、位相の異なる偏向面でそれぞれ偏向されることで、感光ドラム上に交互に入射する。
【００６３】
前記ｆθレンズ１０５、３０５は、光ビームの入射角に比例した像高をもち、ポリゴンミラー１０４により、一定の角速度で偏向される光ビームの像面をＹ軸に対して等速移動させる。
【００６４】
前記反射ミラー１０６Ａ、１０６Ｂ、３０６Ｃ、３０６Ｄは、長手方向をＹ軸方向として配置され、ｆθレンズ１０５，３０５を経由した光ビームを折り返し、トロイダルレンズ１０７Ａ、１０７Ｂ、３０７Ｃ、３０７Ｄそれぞれに入射させる。
【００６５】
トロイダルレンズ１０７Ａ，１０７Ｂ，３０７Ｃ，３０７Ｄは、長手方向をＹ軸方向として配置され、反射ミラー１０６Ａ，１０６Ｂ，３０６Ｃ，３０６Ｄによりそれぞれ折り返された光ビームを、Ｙ軸方向を長手方向として配置された反射ミラー１０８Ａ，１０８Ｂ，３０８Ｃ，３０８Ｄを介して、感光ドラム３０Ａ，３０Ｂ，３０Ｃ，３０Ｄの表面にそれぞれ結像する。
【００６６】
トロイダルレンズ１０７Ａ，１０７Ｂの＋Ｙ側（光ビームの入射側）端部近傍にはそれぞれ光検出センサ１４１Ａ，１４１Ｂが配置され、トロイダルレンズ３０７Ｃ，３０７Ｄの−Ｙ側（光ビームの入射側）端部近傍にはそれぞれ光検出センサ１４１Ｃ，１４１Ｄが配置されている。また、トロイダルレンズ１０７Ａ，１０７Ｂの−Ｙ側端部近傍にはそれぞれ光検出センサ１４２Ａ，１４２Ｂが配置され、トロイダルレンズ３０７Ｃ，３０７Ｄの＋Ｙ側端部近傍にはそれぞれ光検出センサ１４２Ｃ，１４２Ｄが配置されている。上記光検出センサ１４１Ａ〜１４１Ｄ、１４２Ａ〜１４２Ｄは、例えば、光ビームが入射している間にオンとなり、それ以外にはオフとなる信号を出力する。
【００６７】
次に、上述のように構成された光走査装置１００を備える画像形成装置５００の動作について説明する。上位装置などから画像情報が供給されると、入射光学系２００Ａの光源装置７０から射出された光ビームは、アパーチャ部材２０１でビーム形状が整形された後、光束分割プリズム２０２によって上下方向に２分割される。分割された光ビームそれぞれは、液晶素子２０３Ａ，２０３Ｂを透過することで副走査方向の位置補正がなされた後、シリンダレンズ２０４Ａ，２０４Ｂよりポリゴンミラー１０４の偏向面に集光される。そして、ポリゴンミラー１０４で偏向された光ビームは、ｆθレンズ１０５へ入射する。
【００６８】
ｆθレンズ１０５へ入射した上方の光ビームは、反射ミラー１０６Ｂで反射されトロイダルレンズ１０７Ｂへ入射する。そして、トロイダルレンズ１０７Ｂにより、反射ミラー１０８Ｂを介して感光ドラム３０Ｂの表面に集光される。また、ｆθレンズ１０５へ入射した下方の光ビームは、反射ミラー１０６Ａで反射されトロイダルレンズ１０７Ａへ入射する。そして、トロイダルレンズ１０７Ａにより、反射ミラー１０８Ａを介して感光ドラム３０Ａの表面に集光される。なお、ポリゴンミラー１０４は上述したように上下の偏向面間に４５度の位相差がある。したがって、上方の光ビームによる感光ドラム３０Ｂの走査と、下方の光ビームによる感光ドラム３０Ａの走査は、光検出センサ１４１Ａ，１４１Ｂ，１４２Ａ，１４２Ｂからそれぞれ出力される信号に基づいて、−Ｙ方向へ向かって交互に行われることとなる。
【００６９】
一方、入射光学系２００Ｂの光源装置７０から射出された光ビームは、アパーチャ部材２０１でビーム形状が整形された後、光束分割プリズム２０２によって上下方向に２分割される。分割された光ビームそれぞれは、液晶素子２０３Ａ，２０３Ｂを透過することで副走査方向の位置補正がなされた後、シリンダレンズ２０４Ａ，２０４Ｂよりポリゴンミラー１０４の偏向面に集光される。そして、ポリゴンミラー１０４で偏向された光ビームは、ｆθレンズ３０５へ入射する。
【００７０】
ｆθレンズ３０５へ入射した上方の光ビームは、反射ミラー３０６Ｃで反射されトロイダルレンズ３０７Ｃへ入射する。そして、トロイダルレンズ３０７Ｃにより、反射ミラー３０８Ｃを介して感光ドラム３０Ｃの表面に集光される。また、ｆθレンズ３０５へ入射した下方の光ビームは、反射ミラー３０６Ｄで反射されトロイダルレンズ３０７Ｄへ入射する。そして、トロイダルレンズ３０７Ｄにより、反射ミラー３０８Ｄを介して感光ドラム３０Ｄの表面に集光される。なお、ポリゴンミラー１０４は上述したように上下の偏向面間に４５度の位相差がある。したがって、上方の光ビームによる感光ドラム３０Ｃの走査と、下方の光ビームによる感光ドラム３０Ｄの走査は、光検出センサ１４１Ｃ，１４１Ｄ，１４２Ｃ，１４２Ｄからそれぞれ出力される信号に基づいて、＋Ｙ方向へ向かって交互に行われることとなる。
【００７１】
また、光源装置７０では、図８に示されるように、光源１０から射出され、分岐光学素子２１の反射面で反射された光ビームは、集光レンズ２２によって受光素子１８へ入射される。光源装置７０では、光ビームが受光素子１８へ入射したときに出力される信号が常時モニタされ、光源１０から射出される光ビームの光量制御が行なわれる。
【００７２】
具体的には、光ビームがポリゴンミラー１０４の偏向面で偏向された後、感光ドラムの書き込み領域へ至るまでの間に、光ビームは、受光素子１８によって受光される。光源装置７０では、この光ビームを受光することで受光素子１８から出力される光電変換信号に基づいて光源１０から射出される光ビームの強度を検出し、光源１０から射出される光ビームの強度が、予め設定された強度となるように、各ＶＣＳＥＬへ供給する注入電力の値のセット（決定）を行う。これにより、分岐光学素子２１の開口２１ａを通過した光ビームは、予め設定された強度に調整された状態で感光ドラム３０Ａ〜３０Ｄの書き込み領域に入射する。なお、上述の注入電力の値は、書き込み領域の走査が終了すると一旦リセットされ、次回の書き込み領域の走査前に再度セットされる。すなわち、書き込み領域の走査ごとに、各ＶＣＳＥＬの出力調整が行われる。
【００７３】
一方、感光ドラム３０Ａ、３０Ｂ、３０Ｃ、３０Ｄそれぞれの表面の感光層は、帯電チャージャ３２Ａ、３２Ｂ、３２Ｃ、３２Ｄにより所定の電圧で帯電されることにより、電荷が一定の電荷密度で分布している。そして、上述したように、感光ドラム３０Ａ、３０Ｂ、３０Ｃ、３０Ｄがそれぞれ走査されると、光ビームが集光したところの感光層が導電性を有するようになり、その部分では電位がほぼ零となる。したがって、図１の矢印の方向にそれぞれ回転している感光ドラム３０Ａ、３０Ｂ、３０Ｃ、３０Ｄが、画像情報に基づいて変調された光ビームによって走査されるとことにより、それぞれの感光ドラム３０Ａ、３０Ｂ、３０Ｃ、３０Ｄの表面には、電荷の分布により規定される静電潜像が形成される。
【００７４】
感光ドラム３０Ａ、３０Ｂ、３０Ｃ、３０Ｄそれぞれの表面に静電潜像が形成されると、図１に示されるトナーカートリッジ３３Ａ、３３Ｂ、３３Ｃ、３３Ｄの現像ローラにより、感光ドラム３０Ａ、３０Ｂ、３０Ｃ、３０Ｄそれぞれの表面にトナーが供給される。このときトナーカートリッジ３３Ａ、３３Ｂ、３３Ｃ、３３Ｄそれぞれの現像ローラは感光ドラム３０Ａ、３０Ｂ、３０Ｃ、３０Ｄと逆極性の電圧により帯電されているため、現像ローラに付着したトナーは感光ドラム３０Ａ、３０Ｂ、３０Ｃ、３０Ｄと同極性に帯電されている。したがって、感光ドラム３０Ａ、３０Ｂ、３０Ｃ、３０Ｄの表面のうち電荷が分布している部分にはトナーが付着せず、走査された部分にのみトナーが付着することにより、感光ドラム３０Ａ、３０Ｂ、３０Ｃ、３０Ｄの表面に静電潜像が可視化されたトナー像が形成される。
【００７５】
上述のように画像情報に基づいて第１ステーション、第２ステーション、第３ステーション、及び第４ステーションで形成されたそれぞれのトナー像は、転写ベルト４０の表面に重ねあわされた状態で転写され、給紙トレイ６０から取り出された用紙６１の表面に、転写チャージャ４８によって転写され、定着ローラ５０により定着される。そして、このように画像が形成された用紙６１は、排紙ローラ５８により排紙され、順次排紙トレイ５０１ａにスタックされる。
【００７６】
以上説明したように、本実施形態にかかる光源装置７０では、付勢部材７８によって、基板７６が第１ホルダ７４に対して付勢されることで、光源１０の表面、具体的には図７（Ａ）に示されるパッケージ１０ｂの−ｙ側の面が、図８に示されるように、第１ホルダ７４に形成された凹部７４ｂの底壁面に圧接される。これにより、光源１０は第１ホルダ７４に対して精度よく位置決めされる。また、付勢部材７８によって、基板７６と第１ホルダ７４との相対位置関係が規定された後に、保持部材７７が、把持部が基板７６を把持した状態で第１ホルダ７４に固定される。これにより、基板７６と第１ホルダ７４との相対位置関係を一定に維持することができ、結果的に第２ホルダ７２に支持されるカップリングレンズ１１と、光源１０との位置関係を一定に維持することが可能となる。
【００７７】
また、図８に示されるように、保持部材７７は、基板７６に実装されたコネクタ８０の近傍を把持している。したがって、コネクタ８０への配線を着脱する際の、基板７６と第１ホルダ７４との間に生じる相対位置関係の変動を抑制することが可能となる。また、例えばメンテナンスを行う際の光源装置７０のハンドリング中に、不注意で光源装置７０の基板７６を、他部品に接触させてしまった場合に、基板７６と第１ホルダ７４との間に生じる相対位置関係の変動を抑制することが可能となる。
【００７８】
また、付勢部材７８は、第１ホルダ７４に固定されたときに、基板７６に設けられたスリット７６ｂにそれぞれ挿入されるアンカー部７８ｂを有している。したがって、付勢部材７８と基板７６との相対位置の変動を抑制することが可能となる。
【００７９】
また、本実施形態にかかる光走査装置１００は、光源装置７０を備え、光源装置７０では、光源１０とカップリングレンズ１１との位置関係が保持部材７７により、安定的に維持される。したがって、感光ドラム３０Ａ〜３０Ｄの表面上で光ビームの結像特性が経時的に変化することがなく、安定的に精度よく感光ドラム３０Ａ〜３０Ｄの表面を走査することが可能となる。
【００８０】
また、光源装置７０はカップリングレンズ１１の光軸回りに回動可能に配置されている。したがって、アパーチャ部材２０１以降の光学素子に対して、光源装置７０を回動することで、感光ドラム上に集光される光ビームの副走査方向のピッチが所定のピッチとなるように調整することが可能となる。
【００８１】
また、本実施形態にかかる画像形成装置５００では、光走査装置１００によって形成された潜像に基づいて、最終的な画像が形成される。したがって、用紙６１上に安定して精度よく画像を形成することが可能となる。
【００８２】
また、本実施形態にかかる画像形成装置５００では、分岐光学素子２１は、光源１０の各ＶＣＳＥＬから射出された光ビームの主光線を含む光ビームを通過させ、それ以外の光ビームを反射することで、光源１０からの光ビームの分岐を行う。これにより、開口２１ａを通過した強度が高い光ビームで、感光ドラム３０Ａ〜３０Ｄを走査するとともに、走査に寄与しない光ビームに基づいて、光源１０からの光ビームの強度をモニタすることができる。このため、光ビームの利用効率を向上することが可能となる。
【００８３】
《第２の実施形態》
次に、本発明の第２の実施形態を図１０〜図１４に基づいて説明する。ここで、前述した第１の実施形態と同一の構成部分については、その説明を簡略し、または省略するものとする。
【００８４】
図１０は、第２の実施形態にかかる光源装置７０を示す図である。この光源装置７０は、基板７６と第１ホルダ７４とが、一組の保持部材８１，８２によって係合されている点で、第１の実施形態にかかる光源装置７０と相違している。
【００８５】
図１１（Ａ）は、保持部材８１の斜視図であり、図１１（Ｂ）は、保持部材８１の側面の一部を示す図である。保持部材８１は、例えば金属板をプレス加工及び板金加工することにより形成され、図１１（Ａ）に示されるように、長手方向をｚ軸方向とする長方形板状の固定部８１ａ、上端部から中央部にかけてＶ字状の切り欠き（係合部）８１ｄが形成された板状の係止部８１ｃ、及び、固定部８１ａと係止部８１ｃとを、双方（８１ａ，８１ｃ）が相互に平行となった状態で連結する連結部８１ｂの３部分を有する部材である。そして、固定部８１ａには、長手方向をｚ軸方向とする長孔８１ｅがｚ軸方向に隣接して形成されている。また、図１１（Ｂ）に拡大して示されるように、係止部８１ｃに形成された係合部８１ｄは、下方（−Ｚ方向）に向かうにつれてＹ軸方向の寸法が小さくなるように整形され、−Ｚ側端（底部）の寸法は基板７６の厚さと同等か、それよりも小さくなっている。
【００８６】
図１２（Ａ）は、保持部材８２の斜視図であり、図１２（Ｂ）は、保持部材８２の側面の一部を示す図である。保持部材８２は、保持部材８１と同様に、例えば金属板をプレス加工又は板金加工することにより形成され、図１２（Ａ）に示されるように、長手方向をｙ軸方向とする長方形板状の固定部８２ａ、上端部から中央部にかけてＶ字状の切り欠き（係合部）８２ｄが形成された板状の係止部８２ｃ、及び、固定部８２ａと係止部８２ｃとを、双方（８２ａ，８２ｃ）が相互に平行となった状態で連結する連結部８２ｂの３部分を有する部材である。そして、固定部８２ａには、長手方向をｚ軸方向とする長孔８２ｅがｙ軸方向に隣接して形成されている。また、図１２（Ｂ）に拡大して示されるように、係止部８２ｃに形成された係合部８２ｄは、下方（−Ｚ方向）に向かうにつれてＹ軸方向の寸法が小さくなるように整形され、−Ｚ側端（底部）の寸法は基板７６の厚さと同等か、それよりも小さくなっている。
【００８７】
図１０及び図１３を参酌するとわかるように、上述のように構成された保持部材８１は、ボルト８５が、固定部８１ａに形成された長孔８１ｅをそれぞれ介して、第１ホルダ７４の＋ｘ側の側面に螺合されることで、係止部８１ｃが第１ホルダ７４の＋ｙ側から突出した状態で取り付けられている。また、保持部材８２も同様に、ボルト８５（不図示）が、固定部８２ａに形成された長孔８２ｅをそれぞれ介して、第１ホルダ７４の−ｘ側の側面に螺合されることで、係止部８２ｃが第１ホルダ７４の＋ｙ側から突出した状態で取り付けられている。また、上述の保持部材８１，８２それぞれは、ボルト８５が長孔８１ｅ，８２ｅの内部を摺動する範囲で上下方向に移動可能となっている。
【００８８】
図１３に示されるように、基板７６には、−Ｘ側端部上方と＋Ｘ側端部下方それぞれに、ｚ軸方向を長手方向とする係止孔７６ｃが形成されている。そして、第１ホルダ７４と基板７６との固定は、まず、第１ホルダ７４の凹部７４ｂ，７４ｃそれぞれに光源１０及び受光素子１８が嵌合され（図６参照）、図１３及び図１４を参酌するとわかるように、基板７６の係止孔７６ｃそれぞれに、保持部材８１，８２の係止部８１ｃ，８２ｃが挿入された状態で、第１ホルダ７４と基板７６とを組み合わせる。
【００８９】
次に、保持部材８１，８２を基板７６及び第１ホルダ７４に対して上方に移動することで、図１１（Ｂ）及び図１２（Ｂ）に示されるように、保持部材８１，８２の係合部８１ｄ，８２ｄそれぞれを、その底部が基板７６に当接された状態で係止孔７６ｃに係合させる。そして、この状態で第１ホルダ７４に螺合されたボルト８５を締結して、第１ホルダ７４に保持部材８１，８２をそれぞれ強固に固定する。これにより、基板７６は、第１ホルダ７４に対してｙ軸方向の位置が規定された状態で固定される。
【００９０】
また、光源装置７０では、例えば図１３及び図１４に示されるように、基板７６の−ｙ側の面にコネクタ８０が実装されている。このコネクタ８０は、下方から外部配線８０ａ（図１４参照）を装着することが可能なコネクタであり、係止孔７６ｃを通りｚ軸に平行な直線上に配置されている。
【００９１】
以上説明したように、本実施形態にかかる光源装置７０では、保持部材８１，８２の係合部８１ｄ，８２ｄそれぞれが基板７６に係合した状態で、固定部８１ａ，８２ａそれぞれが第１ホルダ７４に固定されることで、第１ホルダ７４と基板７６との位置関係が固定されている。これにより、第１ホルダ７４と基板７６との相対位置関係が一定に維持されるため、結果的に第２ホルダ７２に支持されるカップリングレンズ１１と、光源１０との位置関係を一定に維持することができる。
【００９２】
また、基板７６に実装されるコネクタ８０は、基板７６の−ｙ側の面の係止孔７６ｃを通りｚ軸に平行な直線上に配置されている。これにより、図１４を参酌するとわかるように、コネクタ８０に対する外部配線８０ａの着脱（差し込み及び引き抜き）が行われたとしても、その際の外力による基板７６と第１ホルダ７４との位置ずれは効果的に抑制される。なお、コネクタ８０への外部配線８０ａの着脱は、一般に外部配線８０ａを引き抜くときの方が不用意に行われやすい。このため、本実施形態の保持部材８１，８２それぞれは、基板７６に対して保持部材８１，８２の係合部８１ｄ，８２ｄが、下方から係合される構造となっている。
【００９３】
また、本実施形態では、係合部８１ｄ，８２ｄは、下方（−Ｚ方向）に向かうにつれてＹ軸方向の寸法が小さくなるように整形され、−Ｚ側端（底部）の寸法は基板７６の厚さと同等か、それよりも小さくなっている。これにより、基板７６のＹ軸方向の位置決め精度を特に向上させることが可能となっている。なお、組み立て容易性等を考慮しなければ、係合部８１ｄは、すべての箇所でＹ軸方向の寸法が基板７６の厚さと同等となるように整形されていてもよい。
【００９４】
また、基板７６に実装されたコネクタに対して、外部配線をｙ軸方向に着脱する場合には、当該コネクタは、保持部材の近傍に配置することが望ましい。また、コネクタに対する外部配線の着脱方向が上述したｚ軸方向及びｙ軸方向以外の場合には、適宜保持部材の配置位置及び配置方向等を最適にすることで、第１ホルダ７４と基板７６との相対位置関係を一定に維持することができる。
【００９５】
また、ｚ軸方向の外力にのみ起因する第１ホルダ７４と基板７６との位置ずれを回避するためであれば、係合部８１ｄのｙ軸方向の寸法を、基板７６の厚さと同等またはそれ以下にする必要はない。
【００９６】
また、本実施形態では、保持部材８１，８２がプレス加工又は板金加工により形成されている。これにより、各部の形状を高精度に整形することができ、係合部８１ｄ，８２ｄの形状を、確実に基板７６に係合するように整形することが可能となる。
【００９７】
また、本実施形態では、保持部材８１，８２に形成された係合部８１ｄ，８２ｄが、基板７６に形成された係止孔７６ｃに係合する場合について説明したが、これに限らず、保持部材８１，８２は、基板７６の外縁部に係合する構造であってもよい。また、基板７６の外縁部に切り欠き部を形成し、この切り欠き部に係合する構造であってもよい。
【００９８】
また、本実施形態では、２つの保持部材８１，８２を用いて、第１ホルダ７４と基板７６との相対位置関係を固定することとしたが、これに限らず、保持部材は３つ以上用いてもよく、例えば保持部材８２のみを用いて、第１ホルダ７４と基板７６との相対位置関係を固定することとしてもよい。この場合にも、コネクタ８０に対して外部配線８０ａの着脱が行われる際の外力により、基板７６に生じるｙ軸回りのモーメントの発生を低減することができる。
【００９９】
また、上記各実施形態では、第１の実施形態で説明したように、第１ホルダ７４に対して、保持部材の位置が固定されているか、又は第２の実施形態で説明したように、保持部材がｚ軸方向に移動可能であることとしたが、保持部材を第１ホルダ７４に対してｙ軸方向に移動可能に設けてもよい。
【０１００】
この場合には、例えば図１５に示されるように、基板７６の−ｘ側及び＋ｘ側の外縁部に１組の保持部材７７がそれぞれ係合した状態で、第１ホルダ７４と基板７６とを組み合わせる。次に、図１６に示されるように、保持部材７７それぞれを第１ホルダ７４に対して−ｙ方向へ相対移動することで、基板７６を撓ませて光源１０に−ｙ方向の弾性力を作用させることができる。これにより、光源１０の−ｙ側の面を第１ホルダ７４に形成された凹部７４ｂの底壁面に確実に圧接させることが可能となる。
【０１０１】
また、上記各実施形態では、複数の感光体３０Ａ〜３０Ｂを備えた多色画像を形成する画像形成装置５００について説明したが、これに限らず、本発明は、例えば１つの感光体を複数の光ビームで走査することにより、単色の画像を形成する画像形成装置などにも適用することができる。
【０１０２】
また、上記各実施形態では、本発明の光走査装置１００がプリンタに用いられる場合について説明したが、プリンタ以外の画像形成装置、例えば、複写機、ファクシミリ、又は、これらが集約された複合機にも好適である。
【図面の簡単な説明】
【０１０３】
【図１】本発明の第１の実施形態にかかる画像形成装置５００の概略構成を示す図である。
【図２】光走査装置１００を示す斜視図である。
【図３】光走査装置１００を示す側面図である。
【図４】光源装置７０を示す斜視図である。
【図５】光源装置７０の展開斜視図（その１）である。
【図６】光源装置７０の展開斜視図（その２）である。
【図７】図７（Ａ）は光源１０を示す斜視図であり、図７（Ｂ）は発光素子１０ａを示す平面図である。
【図８】光源装置７０のｘｙ断面を示す図である。
【図９】光源装置７０の取り付け方法を説明するための図である。
【図１０】本発明の第２の実施形態にかかる光源装置７０を示す斜視図である。
【図１１】図１１（Ａ）は保持部材８１の斜視図であり、図１１（Ｂ）は保持部材８１の側面の一部を示す図である。
【図１２】図１２（Ａ）は保持部材８２の斜視図であり、図１２（Ｂ）は保持部材８２の側面の一部を示す図である。
【図１３】第１ホルダ７４と基板７６とを組み合わせる手順を説明するための図（その１）である。
【図１４】第１ホルダ７４と基板７６とを組み合わせる手順を説明するための図（その２）である。
【図１５】変形例にかかる光源装置７０を説明するための図（その１）である。
【図１６】変形例にかかる光源装置７０を説明するための図（その２）である。
【符号の説明】
【０１０４】
１０…光源、１０ａ…発光素子、１０ｂ…パッケージ、１１…カップリングレンズ、１８…受光素子、２０…導光光学系、２１…分岐光学素子、２２…集光レンズ、２３…反射ミラー、３０Ａ〜３０Ｂ…感光ドラム、３１Ａ〜３１Ｄ…クリーニングケース、３２Ａ〜３２Ｄ…帯電チャージャ、３３Ａ〜３３Ｄ…トナーカートリッジ、４０…転写ベルト、４０ａ，４０ｃ…従動ローラ、４０ｂ…駆動ローラ、４８…転写チャージャ、５０…定着ローラ、５２…第２レジストローラ、５４…給紙コロ、５６…第１レジストローラ、５８…排紙ローラ、６０…給紙トレイ、６１…用紙、７０…光源装置、７２…第２ホルダ、７２ａ…環状凸部、７２ｂ…円形開口、７２ｃ…レンズ支持部、７４…第１ホルダ、７４ａ…筒状部、７４ｂ，７４ｃ…凹部、７６…基板、７６ａ…丸孔、７６ｂ…スリット、７６ｃ…係止孔、７７…保持部材、７８…付勢部材、７８ａ…丸孔、７８ｂ…アンカー部、７８ｃ…板バネ部、８０…コネクタ、８０ａ…外部配線、８１…保持部材、８１ａ…固定部、８１ｂ…連結部、８１ｃ…係止部、８１ｄ…係合部、８１ｅ…長孔、８２…保持部材、８２ａ…固定部、８２ｂ…連結部、８２ｃ…係止部、８２ｄ…係合部、８２ｅ…長孔、１００…光走査装置、１０４…ポリゴンミラー、１０５，３０５…ｆθレンズ、１０６Ａ，１０６Ｂ，１０８Ａ，１０８Ｂ，３０６Ｃ，３０６Ｄ，３０８Ｃ，３０８Ｄ…反射ミラー、１０７Ａ，１０７Ｂ，３０７Ｃ，３０７Ｄ…トロイダルレンズ、１４１Ａ，１４１Ｂ，１４１Ｃ，１４１Ｄ、１４２Ａ，１４２Ｂ，１４２Ｃ，１４２Ｄ…光検出センサ、２０１…アパーチャ部材、２０２…光束分割プリズム、２０３Ａ，２０３Ｂ…液晶素子、２０４Ａ，２０４Ｂ…シリンダレンズ、５００…画像形成装置、５０１…ハウジング、５０１ａ…排紙トレイ。
【図１】
0005316747.tif 000002
【図２】
0005316747.tif 000003
【図３】
0005316747.tif 000004
【図４】
0005316747.tif 000005
【図５】
0005316747.tif 000006
【図６】
0005316747.tif 000007
【図７】
0005316747.tif 000008
【図８】
0005316747.tif 000009
【図９】
0005316747.tif 000010
【図１０】
0005316747.tif 000011
【図１１】
0005316747.tif 000012
【図１２】
0005316747.tif 000013
【図１３】
0005316747.tif 000014
【図１４】
0005316747.tif 000015
【図１５】
0005316747.tif 000016
【図１６】
0005316747.tif 000017